(57)【特許請求の範囲】
【請求項１】
自動車室内に配置されるワイヤーハーネスを収容支持するためのワイヤハーネス収容部品であって、上記ワイヤハーネースを収容する収容部と、この収容部に一体に設けられ、上記自動車室内に取り付けられるステム部と、を備え、上記収容部は、半割状の固定側半部と、この固定側半部の基端にヒンジ部を介してその基端を連結し該固定側半部に対して遠近方向に回動自在な半割状の可動側半部と、これら固定側半部と可動側半部とのそれぞれ先端部同士を係合させることにより、上記ワイヤハーネスを抱持可能な収容部とする係合手段と、上記固定側半部に設けられ、キッキングプレートを係止するキッキングプレート用係止部と、を備えたものであることを特徴とする、ワイヤハーネス収容部品。
【請求項２】
前記固定側半部がサイドシル側に、前記可動側半部が自動車室内側に、それぞれ設けられていることを特徴とする、請求項１に記載のワイヤハーネス収容部品。
【請求項３】
前記可動側半部の先端部側に、自動車室内を構成する床面に敷設するカーペットを係止させるためのカーペット用係止部を設けたことを特徴とする、請求項１乃至請求項２のいずれかに記載のワイヤハーネス収容部品。
【発明の詳細な説明】
【０００１】
【発明の属する技術分野】
この発明に係るワイヤハーネス収容部品は、自動車室内に配置されるワイヤハーネスを外力から保護するためのワイヤハーネス収容部品の改良に関し、上記保護を確実に行なえ、しかも当該部品でキッキングプレートを固定可能として部品点数の削減を図るべく、考えられたものである。
【０００２】
【従来の技術】
周知のように、自動車には多くの電装部品が装備されており、そのために配線されるワイヤハーネスも多用されている。これらワイヤハーネスのうちには、車体のドア開口部下面に設けられているサイドシルに沿って配設されるワイヤハーネスもある。上記サイドシルに沿って設けられているワイヤハーネスにおいては、当該ワイヤハーネスを剥き出しのままにしておくと、乗員が自動車内に乗り降りする際に踏み付けられる等により破損する虞がある。このため，何らかの保護手段を設ける必用がある。
【０００３】
ところで、上記サイドシルには、その上面を覆うためのキッキングプレートが設けられている。従来構造においては、このキッキングプレートを利用して上記サイドシルに沿って配設されたワイヤハーネスの保護を図っていた。すなわち、上記キッキングプレートによって上記ワイヤハーネスの上方を覆うことにより、このワイヤハーネスの保護部材としても機能させるようにしている。このように、上記ワイヤハーネスをキッキングプレートによって覆う場合、上記サイドシルを構成するインナパネルとアウタパネルとの接合部に金属製のクリップを取り付け、このクリップに上記キッキングプレートを掛け止めする。そして、キッキングプレートの掛け止めされた一端部から他端部までの間で、上記ワイヤハーネスの上方を覆うようにしている。
【０００４】
しかしながら、上述したようなワイヤハーネスの保護構造においては、上記金属製のクリップ等、特別な部品を要することから部品点数の増加を招いてしまい、部品管理の手間や組み付け作業の手間が増大してしまうため、好ましくない。
【０００５】
上述したような不都合を解消すべく、例えば、特開平８−１７５２８６号公報や特開平１０−１６６６２号公報には、上記キッキングプレートのサイドシル側部分を上記ワイヤハーネスを収容するための部材として利用した構成が提案されている。すなわち、上記キッキングプレートを、可撓性を有する樹脂材料によって成形するとともに、上記サイドシルに形成されている段部に係合する係止部を設けている。又、自動車室内を構成する床面に敷設するカーペットの端部を取りこんだ状態で、その内部に上記ワイヤハーネスを配置するための空間部を設けている。そして、上記空間部内に上記ワイヤハーネスを収容した状態で、上記係止部を上記サイドシルの段部に形成された係合孔に係合させることにより、上記サイドシルに固定する。
【０００６】
上述したようなワイヤハーネスの保護構造においては、前述したような金属製のクリップ等の特別な部品を要することなく、サイドシルに沿って設けられたワイヤハーネスを保護することができる。
【０００７】
【発明が解決しようとする課題】
しかしながら、上述した公報に記載されている技術においては、未だ以下のような改良すべき課題が存在する。先ず、上記ワイヤハーネスの収容空間は、上記サイドシルの段部上方に位置するキッキングプレートによって覆われた空間を利用して構成しているため、当該ワイヤハーネスの占有空間と収容空間との差が大きい場合には、乗員が踏み付ける等に起因する外力が上記キッキングプレートに作用した際に、キッキングプレートが変形してしまう。換言すると、上記キッキングプレートは空間容積に余裕があると、その分外力による変形量が大きくなる。このため、キッキングプレートへの外力の大きさによっては、キッキングプレートに変形歪みが生じてしまい、外観上、満足な結果が得られなくなる虞れがある。
【０００８】
更に、前記特開平８−１７５２８６号公報に記載された発明においては、上記カーペットの端部をキッキングプレートによって押圧保持するため、カーペットを敷設する場合、キッキングプレートがサイドシルの段部に固定されるまでの間、カーペットの展張を維持する作業が必要となる。この結果、自動車組み立てに要する工程数が増大する等、好ましくない。又、前記特開平１０−１６６６２号公報に記載されている発明にあっては、キッキングプレートに設けた係止片にカーペットに形成された係合孔を係止する作業を、作業者からは見えない、該キッキングプレートの下面で行なわなければならず、この係止作業が困難となってしまう。
【０００９】
この発明に係るワイヤハーネス収容部品は、上述したような各種不都合を解消することのできる自動車用ワイヤハーネス収容部品を提供することにある。
【００１０】
【課題を解決するための手段】
この発明に係るワイヤハーネス収容部品は、請求項１に記載したように、自動車室内に配置されるワイヤーハーネスを収容支持するためのワイヤハーネス収容部品であって、上記ワイヤハーネースを収容する収容部と、この収容部に一体に設けられ、上記自動車室内に取り付けられるステム部と、を備え、上記収容部は、半割状の固定側半部と、この固定側半部の基端にヒンジ部を介してその基端を連結し該固定側半部に対して遠近方向に回動自在な半割状の可動側半部と、これら固定側半部と可動側半部とのそれぞれ先端部同士を係合させることにより、上記ワイヤハーネスを抱持可能な収容部とする係合手段と、上記固定側半部に設けられ、キッキングプレートを係止するキッキングプレート用係止部と、を備えている。
【００１１】
上述のように構成される請求項１に記載のワイヤハーネス収容部品を用いて、サイドシルに沿って配設されたワイヤハーネスを収容保護する際の作用は、次のとおりである。先ず、上記ステム部を介して自動車室内に固定の部分にワイヤハーネス収容部品を取り付ける。次いで、上記可動側半部が開放した状態で、上記固定側半部の内側に上記ワイヤハーネスを収容する。固定側半部の内側に上記ワイヤハーネスを収容したならば、上記可動側半部を固定側半部に向けて回動させ、更にこれら固定側、可動側両半部の先端部同士に設けられた係合手段によって先端部同士を係合させる。この結果、上記ワイヤハーネスは、固定側、可動側両半部によって形成される収容部内に収容された状態となり、ワイヤハーネスの保護を図れるようになる。更に、キッキングプレートを、上記固定側半部に設けたキッキングプレート用係止部に係止させることにより、キッキングプレートの取り付けを行なう。
【００１２】
請求項１に記載したワイヤハーネス収容部品を用いれば、上述したようにしてワイヤハーネスを収容するとともにキッキングプレートを取り付けることができる。従って、キッキングプレートを取り付けるためのクリップ等の部品を別途設ける必要がなくなり、このような部品の管理の手間や工程数の増大に伴う手間を解消できるとともに、作業性が向上する。更に、この請求項１に記載したワイヤハーネス収容部品を用いれば、キッキングプレートを乗員等が踏んだ場合でも、キッキングプレートの下面位置に収容されているワイヤハーネスの存在に基き、キッキングプレートがつぶれ難くなる。言い換えれば、キッキングプレート下面位置にワイヤハーネスが充填された状態であるために、このキッキングプレートの抗つぶれ性が向上する。この結果、キッキングプレートに変形歪みが生じてしまって外観上満足な結果が得られなくなることが防止される。
【００１３】
更に、この発明に係るワイヤハーネス収容部品のうち、請求項２に記載したものにあっては、上記固定側半部がサイドシル側に、前記可動側半部が自動車室内側に、それぞれ設けられていることを特徴としている。このような構成を採用することにより、自動車の保守・点検時等において上記ワイヤハーネスを取り外す場合に、この取り外し作業が容易になる。すなわち、このワイヤハーネスを固定側、可動側両半部の先端部に向けて引っ張ることにより、上記係合手段による固定側、可動側両半部の先端部同士の係合を外し、ワイヤハーネスを取り出すことができる。この際、可動側半部を車内側に設けているために、この取り外し作業は上記サイドシルに邪魔されることなく行なえる。
【００１４】
更に、この発明に係るワイヤハーネス収容部品のうち、請求項３に記載したものにあっては、上記可動側半部の先端部側に、自動車室内を構成する床面に敷設するカーペットを係止させるためのカーペット用係止部を設けたことを特徴としている。このような構成を採用することにより、作業者が車外からカーペットを敷設する際に、車内側に向けて無理な姿勢を取ることなく上記係合部を目視できるため、作業効率が向上する。尚、上述の構成に加え、上記固定側、可動側両半部の互いに当接した先端部同士を挟んで上記カーペットを係止させるための係止部と反対側位置、若しくは、上記固定側半部に、上記収容部に収容されるワイヤハーネス以外のワイヤ部材を保持するための保持部を形成することもできる。このような構成を採用することにより、この発明に係るワイヤハーネス収容部品とこの収容部品が取り付けられたサイドシルとの間に生じるデッドスペースに上記ワイヤ部材を配設できるため、当該デッドスペースを有効利用できる。又、上述した各構成の場合、係合手段を介して上記固定側、可動側両半部の互いに当接した先端部同士を係合させる場合、サイドシルを構成するシルフランジと上記可動側半部の先端部とに手指をかけ、この先端部をシルフランジに向けて引き寄せることにより、各先端部同士を係合させることが容易に行なえるようになる。
【００１５】
【発明の実施の形態】
以下、添付図面に示すこの発明の実施の一形態例に基づき、この発明に係るワイヤハーネス収容部品を詳細に説明する。
図１乃至図５は、本形態例に係るワイヤハーネス収容部品を示している。本形態例に係るワイヤハーネス収容部品は、自動車室内でサイドシル２に沿って配設されるワイヤハーネスＷを収容支持するもので、図示のように、基部片１Ａの上面に連続する状態で設けられ、上記ワイヤハーネースＷを収容する収容部１と、上記基部片１Ａの下面に連続する状態で設けられ、上記自動車室内に固定のサイドシル２の段部２Ａに取り付けられるステム部１Ｃと、を備えている。このような収容部１とステム部１Ｃとを備えるワイヤハーネス収容部品は、ポリプロピレン等の合成樹脂材を一体成形する等により造られている。
【００１６】
上記収容部１は、半割状の固定側半部１Ｅと、この固定側半部１Ｅの基端（図１乃至図５の下端）にヒンジ部１Ｂを介してその基端（図１乃至図５の下端）を連結し、該固定側半部１Ｅに対して遠近方向に回動自在な半割状の可動側半部１Ｆと、によって構成されている。本形態例の場合、上記固定側半部１Ｅがサイドシル２側（図１乃至図４の右側、図５の右上側）に、上記可動側半部１Ｆが自動車室内側（図１乃至図４の左側、図５の左上側）に、それぞれ設けられている。更に、これら固定側半部１Ｅと可動側半部１Ｆとのそれぞれ先端部（図１乃至図５の上端部）同士を係合させることにより、上記ワイヤハーネスＷを抱持可能な収容部１とする係合手段６を設けている。この係合手段６は、図２及び図５に示すように、可動側半部１Ｆに形成された鈎部１Ｆ１と、固定側半部１Ｅに形成されている係合溝１Ｅ１と、を互いに係脱自在とすることで構成している。この係合手段６の係脱により、上記収容部１を閉じた状態（図１及び図４に示した状態）と開いた状態（図２及び図５に示した状態）とを選択できる。
【００１７】
又、上記固定側半部１Ｅには、キッキングプレート３を係止するためのキッキングプレート用係止部１Ｅ２を設けている。この係止部１Ｅ２は、固定側半部１Ｅの先端から延出する一対の片部１Ｅ２Ａ、１Ｅ２Ｂを備えている。一方の片部１Ｅ２Ａには、収容部１に向けて折り返された係止片１Ｇが、他方の片部１Ｅ２Ｂには、キッキングプレート３の係止鈎３Ａ（図４参照）に係合可能な形状を有し、係止鈎３Ａの抜け止めが可能な係合鈎受部１Ｈが、それぞれ成形により一体化されている。更に、上記可動側半部１Ｆの先端部側には、自動車室内を構成する床面に敷設するカーペットＣを係止させるためのカーペット用係止部１Ｆ２を設けている。この係止部１Ｆ２は、略茸状をなし、図５に示すように、カーペットＣに形成されている係止孔Ｃ１、Ｃ１を係止する。この係止部１Ｆ２によって上記係止孔Ｃ１、Ｃ１を係止することにより、このカーペッＣは上記床面に敷設される。
【００１８】
尚、本形態例においては、上述の構成に加え、上記固定側、可動側両半部１Ｅ、１Ｆの互いに当接した先端部同士を挟んで上記カーペット用係止部１Ｆ２と反対側位置に、上記収容部１に収容されるワイヤハーネスＷ以外のワイヤ部材ｗを保持するための保持部５を形成している。この保持部５に、ウインドウォシャ液を供給するパイプ等のワイヤ部材ｗを保持することにより、ワイヤ部材ｗをワイヤハーネスＷと隔絶された状態で取り付けることができる。すなわち、ワイヤハーネスＷにとって漏電等の原因となるワイヤ部材ｗを隔絶した位置に設けることができる。これにより、車内でのデッドスペースを有効利用して、新たな取り付け部材を設けることなく一箇所で種々の配線が可能となり、組立性をさらに向上させることができる。
【００１９】
一方、上記ステム部１Ｃは、上記基部片１Ａの下面に設けられており、サイドシル２の段部２Ａに形成されている取り付け孔７に装着可能である。このステム部１Ｃには、図１乃至図３に示すように、先端が外方に突出して拡開している片部で構成された係止部１Ｃ１と、上記取り付け孔７の周辺部密着する封止用フランジ部１Ｄと、が設けられている。
【００２０】
上述のように構成される本形態例に係るワイヤハーネス収容部品を用いて、サイドシル２に沿って配設されたワイヤハーネスＷを収容保護する際の作用は、次のとおりである。先ず、上記ステム部１Ｃを介して自動車室内に固定の部分であるサイドシル２の段部２Ａに取り付ける。すなわち、上記ステム部１Ｃを段部２Ａの取り付け孔７に差し込む。上記取り付け孔７に差し込まれたステム部１Ｃは、係止部１Ｃ１によって抜け止めされると共に、封止用フランジ１Ｄと協働して取り付け孔７の周辺部が挟持される。このため、封止用フランジ１Ｄが段部２Ａの表面に密に当接し、雨水等の進入を防止する。この結果、雨水等によるサイドシル２の耐久性に悪影響を及ぼすことがなくなる。尚、上記封止用フランジ１Ｄは、取り付け孔７周辺に密着できる外径を有しているため、ステム部１Ｃが何らかの影響で割れてしまったような場合でも、このステム部１Ｃが取り付け孔６から段部２Ａ下方に脱落することがない。
【００２１】
次いで、上記可動側半部１Ｆが開放した状態で、上記固定側半部１Ｅの内側に上記ワイヤハーネスＷを収容する。この際、収容部１は上方が開いた状態であるため、ワイヤハーネスＷを摘んで、上記上方から収容する。固定側半部１Ｅの内側に上記ワイヤハーネスＷを収容したならば、上記可動側半部１Ｆを固定側半部１Ｅに向けて回動させ、更にこれら固定側、可動側両半部１Ｅ、１Ｆの先端部同士に設けられた係合手段６によって先端部同士を係合させる。すなわち、可動側半部１Ｆに形成された鈎部１Ｆ１を、固定側半部１Ｅに形成されている係合溝１Ｅ１に係合させる。ワイヤハーネスＷが上記収容部１内に納められると、可動側半部１Ｆを上方から摘んで固定側半部１Ｅに向けて回動させ、更に係合手段６によって収容部１が閉鎖されるので、ワイヤハーネスＷの収容作業を確認しやすい状態で行うことができる。しかも、収容されているワイヤハーネスＷのばらつき等が防止される。尚、上記可動側半部１Ｆを閉じる際には、作業者はサイドシル２を構成するシルフランジ２Ａ１と上記可動側半部１Ｆの先端部とに手指をかけ、この先端部をシルフランジ２Ａ１に向けて引き寄せることで、可動側、固定側両半部１Ｆ、１Ｅの各先端部同士を係合させることができる。従って、この係合作業は容易に行なえる。又、上記各先端部同士を係合させた場合、上記鈎部１Ｆ１が上記係合溝１Ｅ１に入り込むことで互いが強固に係合し、収容部１を閉じた状態（図１及び図４に示す状態）に維持する。この状態において、上記ワイヤハーネスＷは、上記収容部１内に収容された状態となり、ワイヤハーネスＷの保護を図れるようになる。
【００２２】
更に、自動車室内の床面にカーペットＣを敷設する。このカーペットＣの敷設作業は、その端部に設けた係止孔Ｃ１、Ｃ１を上記カーペット係止用係止部１Ｆ２に係止することにより行なう。上記可動側半部１Ｆに設けた係止部１Ｆ２に対してカーペットＣの係止孔Ｃ１、Ｃ１を差し込むことにより、図４に二点鎖線で示すように、カーペットＣを保持することができる。このように、上記可動側半部１Ｆの先端部側に上記カーペットＣを係止させるためのカーペット用係止部１Ｆ２を設けることにより、作業者が車外からカーペットＣを敷設する際に、車内側に向けて無理な姿勢を取ることなく上記係止部１Ｆ２を目視できる。このため、作業効率が向上する。
【００２３】
更に、キッキングプレート３を上記固定側半部１Ｅに設けたキッキングプレート用係止部１Ｅ２に係止させることにより、キッキングプレート３の取り付けを行なう。すなわち、キッキングプレート用係止部１Ｅ２に上記係止鈎３Ａを挿入することで、キッキングプレート３を取り付ける。本形態例の場合、キッキングプレート３の、サイドシル２の縦壁２Ａ１外表面と対向する面がウエザーストリップＳの外表面に回り込む形状とされているため、係止鈎３Ａとキッキングプレート３とによって上記ウエザーストリップＳを挟持することができ、ウエザーストリップＳが不用意に脱落するのを防止できる。
【００２４】
本形態例においては、カーペットＣの取り付けがキッキングプレート３の取り付け前に行われる。この際、作業者は上方から目視できる。更に、カーペット用係止部１Ｆ２がカーペットＣの表面から突出する構成となっているため、カーペットＣに対して係止部１Ｆ２を覆い被せるような場合と違って、掛け止め状態をキッキングプレート３の最終係合時まで視認することができる。又、カーペットＣは、係止部１Ｆ１に係止孔Ｃ１、Ｃ１を差し込むように構成されているため、上記カーペットＣに対して係止部を覆い被せる場合と違って、係止部１Ｆ２とカーペットＣの係止孔Ｃ１、Ｃ１との位置関係を整合させ易く、しかも、位置合わせの確認ができないという不具合をなくすことができる。
【００２５】
本形態例に係るワイヤハーネス収容部品を用いれば、上述したようにしてワイヤハーネスＷを収容でき、しかも、このワイヤハーネス収容部品を利用して上記キッキングプレート３及びカーペットＣを取り付けることができる。従って、キッキングプレート３を取り付けるためのクリップ等の部品を別途設ける必要がなくなり、このような部品の管理の手間や工程数の増大に伴う手間を解消できる。更に、このワイヤハーネス収容部品を用いれば、キッキングプレート３を乗員等が踏んだ場合でも、キッキングプレート３の下面位置に収容されているワイヤハーネスＷの存在に基き、キッキングプレート３がつぶれ難くなる。言い換えれば、キッキングプレート３下面位置にワイヤハーネスＷが充填された状態であるために、このキッキングプレート３の抗つぶれ性が向上する。この結果、キッキングプレート３がつぶれたり、正規の位置から外れたりすることが有効に防止され、キッキングプレート３の耐久性が向上する。
【００２６】
更に、本形態例に係るワイヤハーネス収容部品にあっては、上記固定側半部１Ｅがサイドシル２側に、前記可動側半部１Ｆが自動車室内側に、それぞれ設けられているため、自動車の保守・点検時等において上記ワイヤハーネスＷを取り外す場合に、この取り外し作業が容易になる。すなわち、このワイヤハーネスＷを固定側、可動側両半部１Ｅ、１Ｆの先端部に向けて引っ張ることにより、上記係合手段６による固定側、可動側両半部１Ｅ、１Ｆの先端部同士の係合を外し、ワイヤハーネスＷを取り出すことができる。この際、可動側半部１Ｆを車内側に設けているために、この取り外し作業は上記サイドシル２に邪魔されることなく行なえる。
【００２７】
更に、本形態例に係るワイヤハーネス収容部品にあっては、上記可動側半部１Ｆの先端部側に上記カーペットＣを係止させるためのカーペット用係止部１Ｆ２を設けているため、上述したように、作業者が車内側に向けて無理な姿勢を取ることなく上記係止部１Ｆ２を目視できる。このため、カーペット敷設作業の効率が向上する。又、本形態例においては、上述の構成に加え、上記固定側、可動側両半部１Ｅ、１Ｆの互いに当接した先端部同士を挟んで上記カーペット用係止部１Ｆ２と反対側位置に、ウインドウウォシャ液用パイプ等の、上記ワイヤハーネスＷ以外のワイヤ部材ｗを保持するための保持部５を形成している。このため、ワイヤハーネス収容部品とこの収容部品が取り付けられたサイドシル２との間に生じるデッドスペースに上記ワイヤ部材ｗを配設でき、当該デッドスペースを有効利用できるとともに、このワイヤ部材ｗのワイヤハーネスＷに対する悪影響を防止できる。
【００２８】
尚、上記収容部１の形状は、収容されるワイヤハーネスＷの種類や数によって決まるので、図１に示した形状に限らない。例えば、単一のワイヤハーネスを対象とするような場合、図６に示すような形状とすることができる。又、上記保持部５は、固定側半部１Ｅの表面で、図示の例とは異なる位置に設けることができる。
【００２９】
【発明の効果】
この発明に係るワイヤハーネス収容部品は、上述したように構成され作用するため、以下のような効果を有する。すなわち、請求項１に記載したワイヤハーネス収容部品にあっては、作業性が向上する。これとともに、キッキングプレートを乗員等が踏んだ場合でも、キッキングプレートの下面位置に収容されているワイヤハーネスの存在に基き、キッキングプレートがつぶれ難くなる。この結果、キッキングプレートに変形歪みが生じてしまって外観上満足な結果が得られなくなることが防止される。
【００３０】
更に、請求項２に記載したものにあっては、上述した効果に加え、上記ワイヤハーネスを取り外す場合に、この取り外し作業を上記サイドシルに邪魔されることなく行なえ、作業効率が向上する。又、請求項３に記載したものにあっては、作業者が車外からカーペットを敷設する際に、車内側に向けて無理な姿勢を取ることなく上記係合部を目視できるため、作業効率が向上する。
【図面の簡単な説明】
【図１】この発明の実施の一形態例を示す正面図である。
【図２】同じく、収容部を開いた状態で示す正面図である。
【図３】同じく、左側面図である。
【図４】同じく、サイドシルの段部に装着した状態で示す正面図である。
【図５】ワイヤハーネス、ワイヤ部材、カーペット、キッキングプレートを装着する状態を説明するための斜視図である。
【図６】収容部の別例を示す正面図である。
【符号の説明】
１  収容部
１Ｂ  ヒンジ部
１Ｃ  ステム部
１Ｃ１  係止部
１Ｄ  封止用フランジ
１Ｅ  固定側半部
１Ｅ２  キッキングプレート用係止部
１Ｆ  可動側半部
１Ｆ２  カーペット用係止部
２  サイドシル
２Ａ  段部
３  キッキングプレート
６  係合手段
１Ｆ１  鈎部
１Ｅ１  係合溝
Ｗ  ワイヤハーネス
ｗ  ワイヤ部材
【図１】
0004066400.tif 000002
【図２】
0004066400.tif 000003
【図３】
0004066400.tif 000004
【図４】
0004066400.tif 000005
【図５】
0004066400.tif 000006
【図６】
0004066400.tif 000007